【手続補正書】
【提出日】平成18年3月16日(2006.3.16)
【手続補正１】
【補正対象書類名】明細書
【補正対象項目名】００４４
【補正方法】変更
【補正の内容】
【００４４】
これらの後処理が施されたデジタルデータＤ２はＤ／Ａ変換部１３に出力されると共に、データ再構築手段４１に出力される。Ｄ／Ａ変換部１３では、復号化後のデジタルデータＤ１がアナログテレビ用の映像及び音声情報に変換される。この変換後のアナログ映像及び音声信号Ｓoutはオーディオ・ビデオ通信ケーブルを通してアナログテレビ６に供給される。
【手続補正２】
【補正対象書類名】明細書
【補正対象項目名】００４５
【補正方法】変更
【補正の内容】
【００４５】
また、データ再構築手段４１では図５に示したＳＩＦ前処理部５３によって、例えば、復号化後のデジタルデータＤ１が１００Ｍｂｐｓ以上の原画像に対してフィールド間引き、輝度、色差信号の帯域制限などの処理がなされ、約３０ＭｂｐｓのＳＩＦ信号（３５２×２４０画素、３０フレーム又は３５２×２８８画素、２５フレーム）に変換される。このＳＩＦ信号に基づいてマクロブロックの整数倍サイズの画像が圧縮の対象となる。
【手続補正３】
【補正対象書類名】明細書
【補正対象項目名】００５４
【補正方法】変更
【補正の内容】
【００５４】
このＭＰＥＧビデオデコーダ４０’は第１の実施例のビデオデコーダ４０に比べて性能の低いものを使用できる。例えば、動き検出機能を具備しないものが使用できる。一般に、映像の早送り又は早戻しなどの特殊再生時には高画質である必要がないので、高性能のエンコーダである必要がない。例えば、動き検出を行わずに、常に、動きベクトル（０，０）としても可能である。ポーズ再生のときは、きれいな静止画が要求されるが、ポーズ状態では絵に動きがないので、動きベクター（０，０）でも、高画質が得られる。このようなエンコーダは低コストである。通常再生時はオリジナルの符号化データＤinが使用されるので、高画質である。
【手続補正４】
【補正対象書類名】明細書
【補正対象項目名】００６６
【補正方法】変更
【補正の内容】
【００６６】
図７に示す特殊再生伝送装置３００は復号化手段２、Ｄ／Ａ変換部１３及びデータ再構築手段４３を備えている。データ再構築手段４３はＭＰＥＧビデオデコーダ４０’、遅延メモリ１４、ＭＰＥＧ−ＴＳ多重部４８及びセレクタ４９を有しており、ＭＰＥＧ−ＴＳ多重部４８とセレクタ４９との接続位置が入れ替わったものである。第２の実施例に比べて、第３の実施例では遅延メモリ１４の入力が多重分離部２１の入力段に接続される。これは、アナログ信号処理機器への映像情報の多重分離及び復号化に係る時間と、映像音声情報媒体５０によるデジタル信号処理機器への符号化データＤinの出力タイミングとを揃えるためである。
【手続補正５】
【補正対象書類名】明細書
【補正対象項目名】００６７
【補正方法】変更
【補正の内容】
【００６７】
この例でも、ビデオエンコーダ４０’には第２の実施例と同様にして動き検出機能を具備しないものが使用できる。この理由は第２の実施例とほぼ同様であり、通常再生時には多重分離前の符号化データＤinをパスして、再エンコードを行わないようにしたためである。この例ではＭＰＥＧビデオエンコーダ４０’の出力にＭＰＥＧ−ＴＳ多重部４８が接続され、データ圧縮された再構築後の符号化データＤ３が第２の実施例に比べて先に音声情報に係る符号化データなどと多重化される。多重化後の符号化データＤoutはセレクタ４９に出力される。
【手続補正６】
【補正対象書類名】明細書
【補正対象項目名】００７１
【補正方法】変更
【補正の内容】
【００７１】
ｉｉ．  特殊再生が指示された場合
この場合には、セレクタ４９が通常再生丸付き数字「１」から特殊再生丸付き数字「２」へ切換られる。従って、ＭＰＥＧビデオエンコーダ４０’によって再エンコードされた符号化データＤ３がＭＰＥＧ−ＴＳ多重部４８に出力される。ＭＰＥＧ−ＴＳ多重部４８では、データ圧縮された再構築後の符号化データＤ３が音声情報に係る符号化データなどと多重化され、多重化後の符号化データＤoutがセレクタ４９及びＩＥＥＥ１３９４通信ケーブル９を通してデジタルテレビ７へ伝送される。
【手続補正７】
【補正対象書類名】明細書
【補正対象項目名】００９１
【補正方法】変更
【補正の内容】
【００９１】
このデジタルテレビ７では図２に示したＭＰＥＧ２デコーダ１１により、上述のビットストリームに係る符号化データＤoutがデコードされ、図１３に示す０〜１４のように連続した映像表示データに基づいて、連続的に画面がデジタル表示される。
【手続補正８】
【補正対象書類名】明細書
【補正対象項目名】００９２
【補正方法】変更
【補正の内容】
【００９２】
ｉｉ．  特殊再生が指示された場合
例えば、図１４に示すビットストリームの例でビットストリーム「７」のＩピクチャ（７，Ｉ７）でポーズ再生された場合、セレクタ４９が通常再生丸付き数字「１」から特殊再生丸付き数字「２」へ切換られる。Ｉピクチャメモリ５１では多重分離後の符号化データＤ１からイントラピクチャが抽出され、そのＩピクチャに係るデータが一時記憶される。従って、Ｉピクチャメモリ５１に接続されたＢ，Ｐストリーム出力部５２では、そのＩピクチャメモリ５１によって抽出されたイントラピクチャに基づいて、動きベクター（０，０）差分値「０」という固定パターンのＢピクチャ及びＰピクチャを生成する。ＭＰＥＧ方式で決められた、ＰＣＲ、ＰＴＳ、ＤＴＳはデータ例が正しく連続するように、ＭＰＥＧ−ＴＳのトランスポート・パケットなどにヘッダ情報として付加される。
【手続補正９】
【補正対象書類名】明細書
【補正対象項目名】００９３
【補正方法】変更
【補正の内容】
【００９３】
図１４に示すビットストリームの例では、各々ヘッダ情報が付加された、ビットストリーム「１」のＩピクチャ（１，Ｉ１）、ビットストリーム「０」のＢピクチャ（２，Ｂ０）、ビットストリーム「３」のＰピクチャ（３，Ｐ３）、ビットストリーム「２」のＢピクチャ（４，Ｂ２）、ビットストリーム「５」のＰピクチャ（５，Ｐ５）、ビットストリーム「４」のＢピクチャ（６，Ｂ４）、ビットストリーム「７」のＩピクチャ（７，Ｉ７）、ビットストリーム「６」のＢピクチャ（８，Ｂ６）に続いて、新たに生成された動きベクター（０，０）差分値「０」のビットストリーム（以下でビットストリーム「＊」と表示する）のＰピクチャ（９，Ｉ９）、ビットストリーム「＊」のＢピクチャ（１０，Ｂ８）、ビットストリーム「＊」のＰピクチャ（１１，Ｐ１１）、ビットストリーム「＊」のＢピクチャ（１２，Ｂ１０）が挿入される。
【手続補正１０】
【補正対象書類名】明細書
【補正対象項目名】００９４
【補正方法】変更
【補正の内容】
【００９４】
これに続いて、ビットストリーム「７」と同じＩピクチャ（１３，Ｉ１３）が挿入され、続いて、ビットストリーム「＊」のＢピクチャ（１４，Ｂ１２）、ビットストリーム「＊」のＰピクチャ（１５，Ｐ１５）、ビットストリーム「＊」のＢピクチャ（１６，Ｂ１４）、ビットストリーム「＊」のＰピクチャ（１７，Ｐ１６）、ビットストリーム「＊」のＰピクチャ（１８，Ｐ１７）が挿入され、続いて、ビットストリーム「７」と同じのＩピクチャ（１９，Ｉ１８）が挿入される。
【手続補正１１】
【補正対象書類名】明細書
【補正対象項目名】００９７
【補正方法】変更
【補正の内容】
【００９７】
なお、早送りや早戻し時にも画像を表示するために、その間はストリームの内のイントラピクチャのみを再生速度に応じて飛び飛びに読み出して、それを多重化して出力するようになされる。その際に、イントラピクチャを読み出した後に、少しジャンプしてから次のイントラピクチャを読み出すようになされるが、その読み出しまでの間に時間的な間隔が生ずる。この間を静止画として表示させるために、全ての動きベクター（０，０）の差分値「０」というＰ，Ｂピクチャのストリームを送出することにより、受信機側で正しいストリームを形成することができる。
【手続補正１２】
【補正対象書類名】明細書
【補正対象項目名】０１００
【補正方法】変更
【補正の内容】
【０１００】
（６）第５の実施例
図１６は第５の実施例としての特殊再生伝送装置５００の構成例を示すブロック図である。
上述の第４の実施例では、特殊再生時にＩピクチャのところでしかポーズ画面（静止画）を表示できなかったが、第５の実施例では任意のピクチャのところで、ポーズ画面を表示するようにしたものである。しかも、必要とするエンコーダはリアルタイムにエンコードする必要はなく、イントラピクチャだけでデコードすればよいので、第１〜第３の実施例に比べて負荷を軽減することができる。従って、ＣＰＵによりソフトエンコードを行ってもよい。
【手続補正１３】
【補正対象書類名】明細書
【補正対象項目名】０１０２
【補正方法】変更
【補正の内容】
【０１０２】
図１６に示す特殊再生伝送装置５００は復号化手段２、Ｄ／Ａ変換部１３及びデータ再構築手段４５を備えている。データ再構築手段４５はＭＰＥＧビデオエンコーダ４０’、Ｉピクチャメモリ５１、Ｂ，Ｐストリーム出力部５２、ＭＰＥＧ−ＴＳ多重部４８及びセレクタ４９を有している。なお、第４の実施例と同じ名称及び同じ符号のものは同じ機能を有するためその説明を省略する。
【手続補正１４】
【補正対象書類名】明細書
【補正対象項目名】０１０３
【補正方法】変更
【補正の内容】
【０１０３】
この例では復号化手段２のＭＰＥＧビデオデコーダ２２によるデジタルデータＤ２がＭＰＥＧビデオエンコーダ４０’に出力される。ＭＰＥＧビデオエンコーダ４０’による再エンコード後の符号化データＤ５はＩピクチャメモリ５１に一時記憶される。例えば、Ｉピクチャメモリ５１では、再エンコード後の符号化データＤ５１からイントラピクチャが抽出されそのＩピクチャに係るデータが一時記憶される。Ｉピクチャメモリ５１には第４の実施例と同様にしてＢ，Ｐストリーム出力部５２が接続され、Ｉピクチャメモリ５１によって抽出されたイントラピクチャ間に動きベクター（０，０）差分値「０」という固定パターンのＢピクチャ及びＰピクチャが挿入される。ここで挿入するＢピクチャは前（過去）の絵（画像）のみを参照するように作成したストリームである。
【手続補正１５】
【補正対象書類名】明細書
【補正対象項目名】０１０８
【補正方法】変更
【補正の内容】
【０１０８】
その際に、ビットストリーム「７」でポーズされた期間中にビットストリーム「８」をＩピクチャで再エンコードし、ビットストリーム「８」でポーズ期間中にビットストリーム「９」をＩピクチャで再エンコードする場合を想定する。図１７において、ビットストリーム「８’」はビットストリーム「８」の絵をＩピクチャで再エンコードしたものであり、ビットストリーム「９’」はビットストリーム「９」の絵をＩピクチャで再エンコードしたものである。
ｉ．  通常再生が指定された場合
この場合の処理は第４の実施例と全く同じなのでその説明を省略する。図１２及び図１３を参照されたい。
【手続補正１６】
【補正対象書類名】明細書
【補正対象項目名】０１１０
【補正方法】変更
【補正の内容】
【０１１０】
ｉｉ．  特殊再生が指示された場合
例えば、図１７に示すビットストリームの例でビットストリーム「７」のＩピクチャ（７，Ｉ７）でポーズ再生された場合、セレクタ４９が通常再生丸付き数字「１」から特殊再生丸付き数字「２」へ切換られる。Ｉピクチャメモリ５１では多重分離後の符号化データＤ１からイントラピクチャが抽出され、そのＩピクチャに係るデータが一時記憶される。従って、Ｉピクチャメモリ５１に接続されたＢ，Ｐストリーム出力部５２では、そのＩピクチャメモリ５１によって抽出されたイントラピクチャに基づいて、動きベクター（０，０）差分値「０」のＢピクチャ及びＰピクチャを生成する。ＭＰＥＧ方式で決められた、ＰＣＲ、ＰＴＳ、ＤＴＳはデータ例が正しく連続するように、ＭＰＥＧ−ＴＳのトランスポート・パケットなどにヘッダ情報として付加される。
【手続補正１７】
【補正対象書類名】明細書
【補正対象項目名】０１１１
【補正方法】変更
【補正の内容】
【０１１１】
図１７に示すビットストリームの例では、各々ヘッダ情報が付加された、ビットストリーム「１」のＩピクチャ（１，Ｉ１）、ビットストリーム「０」のＢピクチャ（２，Ｂ０）、ビットストリーム「３」のＰピクチャ（３，Ｐ３）、ビットストリーム「２」のＢピクチャ（４，Ｂ２）、ビットストリーム「５」のＰピクチャ（５，Ｐ５）、ビットストリーム「４」のＢピクチャ（６，Ｂ４）、ビットストリーム「７」のＩピクチャ（７，Ｉ７）、ビットストリーム「６」のＢピクチャ（８，Ｂ６）に続いて、新たに生成された動きベクター（０，０）差分値「０」のビットストリーム（以下でビットストリーム「＊」と表示する）のＰピクチャ（９，Ｐ９）が挿入される。
【手続補正１８】
【補正対象書類名】明細書
【補正対象項目名】０１１４
【補正方法】変更
【補正の内容】
【０１１４】
このＭＰＥＧ映像ストリームを受信したデジタルテレビ７では、図２に示したＭＰＥＧ２デコーダ１１により、上述のビットストリームに係る符号化データＤoutがデコードされ、図１８に示す数字０〜６のように連続した映像表示データに続いて、ポーズ期間として、ビットストリーム「７」に係る映像表示データが６回連続してデコードされ、また、ビットストリーム「８」に係る映像表示データが５回連続してデコードされ、更に、ビットストリーム「９」に係る映像表示データが２回連続してデコードされる。その後、数字１０〜１４のように連続した映像表示データがデコードされる。従って、連続的に画面がデジタルテレビ７に表示される。
【手続補正１９】
【補正対象書類名】明細書
【補正対象項目名】０１３８
【補正方法】変更
【補正の内容】
【０１３８】
このダミーパケットを送出するようにしたのは、全く何らのストリームを送出しないとすると、第６の実施例と同様にしてＭＰＥＧ映像ストリームの送出が終わったか否かを識別することができなくなったり、本当にそのストリームの送出処理を中断する場合もあるので、それと区別させるためである。ＤＩＴに関しては、ヨーロッパのデジタル放送の標準であるＤＶＢ（Ｄigital Ｖideo Ｂroadcasting）において、ＭＰＥＧ−ＴＳに係るビットストリームが不連続となる場合に、その不連続点にＤＩＴを挿入するという情報伝送規則（テーブル）が定められているので、それに従った場合の例である。もちろん、そのビットストリームが不連続とならない場合には、ＤＩＴを挿入しなくてもよい。
【手続補正２０】
【補正対象書類名】明細書
【補正対象項目名】０１５１
【補正方法】変更
【補正の内容】
【０１５１】
また、ＤＩＴが記述されない場合には、ビットストリームが「不連続点である」という検出が遅れるが、ヘッダ情報に記述したＰＣＲの不連続又はＭＰＥＧ−ＴＳトランスポート・パケット３０に割り当てられた巡回カウンタ３８（図９参照）などの各種のパラメータから「不連続」を検出することができる。従って、ＤＩＴ検出時と同じ処理を施すことにより、受信機側では連続的にポーズ画面を表示することができる。
【手続補正２１】
【補正対象書類名】図面
【補正対象項目名】図４
【補正方法】変更
【補正の内容】
【図４】
2001028748.tif 000001
【手続補正２２】
【補正対象書類名】図面
【補正対象項目名】図５
【補正方法】変更
【補正の内容】
【図５】
2001028748.tif 000002